(57)【要約】      （修正有）【課題】小型で、設置に便利で、局所領域の迅速消化に使用することができる小型自動エアロゾル火災鎮火装置を提供する。【解決手段】超小型自動ホットエアロゾル火災鎮火装置は、頂部カバー１、熱絶縁層３、内部シリンダ４、外部シリンダ５、底部カバー７、センシング要素８、分離ネット９および点火器１１を含む。内部シリンダ４には、火薬カラム６および冷却層１０が設けられている。熱絶縁層３は、内部シリンダ４と外部シリンダ５の間に設定される。センシング要素８は、火災を検知するのに使用される。装置の寸法は、０．０５ｍ３以下である。【選択図】図１
0003191569.tif 000002
【実用新案登録請求の範囲】
【請求項１】
頂部キャップ（１）、熱絶縁層（３）、内部シリンダ（４）、外部シリンダ（５）、底部キャップ（７）、センシング要素（８）、スクリーン（９）および点火装置（１１）を含み、
化学薬剤（６）および冷却層（１０）が、前記内部シリンダ（４）内に設置され、前記熱絶縁層（３）が、前記内部シリンダ（４）と前記外部シリンダ（５）の間に設置され、前記センシング要素（８）が、火災を検知するように設計されている、小型自動エアロゾル火災鎮火装置。
【請求項２】
エアロゾル火災鎮火装置の起動が、センシング要素（８）とバッテリ（１２）によって達成される、電気起動であることを特徴とする、請求項１に記載の小型自動エアロゾル火災鎮火装置。
【請求項３】
センシング要素が、温度センサ、煙検出器、火炎検出器またはガス検出器であることを特徴とする請求項１に記載の小型自動エアロゾル火災鎮火装置。
【請求項４】
エアロゾル火災鎮火装置の起動が、感熱材料、自然発火性材料または火炎伝達材料を化学薬剤に接続することによって達成される、非電気起動であることを特徴とする請求項１に記載の小型自動エアロゾル火災鎮火装置。
【請求項５】
小型自動エアロゾル火災鎮火装置は、ねじで固定するか、磁性鉄によって鉄鋼構造の表面に取り付けるか、または接着することによって設置することができることを特徴とする請求項１に記載の小型自動エアロゾル火災鎮火装置。
【請求項６】
バッテリ容量を検出するように設計された、検出回路ボード（２）をさらに含むことを特徴とする、請求項１に記載の小型自動エアロゾル火災鎮火装置。
【請求項７】
誤起動を防止するように設計された安全スイッチが、検出回路ボード（２）上に配設されていることを特徴とする、請求項１に記載の小型自動エアロゾル火災鎮火装置。
【請求項８】
装置がエアロゾルを噴出するか否かを検出するように設計された、フィードバック要素をさらに含み、該フィードバック要素がインジケータまたはブザーであることを特徴とする、請求項１に記載の小型自動エアロゾル火災鎮火装置。
【請求項９】
熱絶縁層（３）が、ケイ酸アルミニウム繊維またはアスベスト材料によって製造されていることを特徴とする、請求項１に記載の小型自動エアロゾル火災鎮火装置。
【請求項１０】
エアロゾル火災鎮火装置の体積が、０．０５ｍ３以下であることを特徴とする、請求項１に記載の小型自動エアロゾル火災鎮火装置。
【考案の詳細な説明】
【技術分野】
【０００１】
本発明は、ガス火災鎮火装置の技術分野に属し、スペースが狭小で閉鎖されており、設備が高価で無人である、様々な火災危険場所に応用可能な、小型自動エアロゾル火災鎮火装置に関する。
【背景技術】
【０００２】  今日、エアロゾル火災鎮火装置は、優れた火災鎮火性能、安全性、信頼性、安定性、環境親和性を有し、かつ操作が容易であるなどの長所から、広く応用されている。エアロゾル火災鎮火装置は、（公序良俗違反につき、不掲載）金属およびエネルギー部門などの業界および企業を巻き込んで、全国の３０を超える省における数千のプロジェクトにおいて、成功裏に応用されている。【０００３】
しかしながら、既存のエアロゾル製品は、市場要求を満たすことができない。変圧器、配電キャビネット、車両上のエンジンルームおよび貨物室、その他などの電力の使用、配電、および変圧が関係する多くの狭小スペースにおいて、またガソリン、ディーゼル油、または航空用灯油が推進用に使用される航空機、車両、または船舶上の場所において、経年劣化したケーブルおよび配線、燃料漏洩、および過酷環境などの火災危険から生じる火災は、通常、早期に発見および検出するのが困難である。多くの場合に、火花によって重大な火災事故が起こり、そのために重大な人的傷害や死亡および設備損傷が発生する可能性がある。このような状況において、迅速な局所的火災鎮火を行うと、半分の努力で２倍の結果を得ることができる。したがって、国内および国外の防火エキスパートは、常に、小型迅速火災鎮火装置の開発および研究を重要視している。しかしながら、充填量が１ｋｇ未満で、かつジェットオリフィスにおける温度が１５０℃未満である、小型自動火災鎮火装置はまだ市場では見られない。
【考案の概要】
【０００４】
従来技術における現在の状況を考慮すると、本発明の目的は、スペースが狭小で閉鎖されており、設備が高価で無人である、様々な火災危険場所に応用可能な、小型自動エアロゾル火災鎮火装置を提供することである。
本発明は、頂部キャップ、熱絶縁層、内部シリンダ、外部シリンダ、底部キャップ、センシング要素、スクリーンおよび点火装置を含み、化学薬剤および冷却層が、内部シリンダ内に設置され、熱絶縁層が、内部シリンダと外部シリンダの間に設置され、センシング要素が、火災を検知するように設計されている、小型自動エアロゾル火災鎮火装置を提供する。
【０００５】
さらに、エアロゾル火災鎮火装置の起動は、センシング要素とバッテリによって達成される、電気起動である。
さらに、センシング要素は、温度センサ、煙検出器、火炎検出器またはガス検出器である。
さらに、エアロゾル火災鎮火装置の起動は、感熱材料、自然発火性材料または火炎伝達材料を化学薬剤に接続することによって達成される、非電気起動である。
【０００６】
さらに、エアロゾル火災鎮火装置は、ねじで固定するか、磁気引力によって鉄鋼構造の表面に取り付けるか、または接着することによって設置される。
さらに、本装置は、バッテリ容量を検出するように設計された、検出回路ボードをさらに含む。
さらに、誤起動を防止するように設計された安全スイッチが、検出回路ボード上に配設されている。
さらに、本装置は、本装置がエアロゾルを噴出するか否かを検出するように設計された、フィードバック要素をさらに含み、該フィードバック要素がインジケータまたはブザーである。
【０００７】
さらに、熱絶縁層は、ケイ酸アルミニウム繊維またはアスベストによって製造されている。
さらに、小型自動エアロゾル火災鎮火装置の体積は０．０５ｍ３以下である。
エアロゾル火災鎮火装置の長所としては、壁の温度とジェットオリフィスでの温度の両方ともが低く、装置が高密度で小さく、その体積が０．０５ｍ３以下であり、したがって様々な狭小スペースに応用可能であることが挙げられる。
【０００８】
本発明の上記の長所を、より明確に理解させるように、本発明における小型自動エアロゾル火災鎮火装置を、添付の図面を参照してさらに詳述する。
【図面の簡単な説明】
【０００９】
【図１】図１は、本発明における小型自動エアロゾル火災鎮火装置の実施例の概略構造図である。
【図２】図２は、本発明における小型自動エアロゾル火災鎮火装置の別の実施例の概略構造図である。
【００１０】
図中で、１‐頂部キャップ、２‐検出回路ボード、３‐熱絶縁層、４‐内部シリンダ、５‐外部シリンダ、６‐薬剤、７‐底部キャップ、８‐センシング要素、９‐スクリーン、１０‐冷却材料、１１‐点火装置、１２‐バッテリ、１３‐磁性鉄、１４‐保持リング、１５‐アスベスト板、である。
【００１１】
実施態様の詳細な説明
図面を参照して本発明を、さらに詳述する。
図１に示す小型自動エアロゾル火災鎮火装置は、電気起動手法を採用し、電気起動用のバッテリを使用する。この装置は、頂部キャップ１、検出回路ボード２、熱絶縁層３、内部シリンダ４、外部シリンダ５、化学薬剤６、底部キャップ７、センシング要素８、スクリーン９、冷却層１０、点火装置１１、バッテリ１２、および磁性鉄１３を含む。ここで、頂部キャップ１は、装置の頂部上に設置されており、検出回路ボードは、頂部キャップの下に配設されている。頂部キャップ１によって、エアロゾルが装置の頂面の周囲から噴出する。
【００１２】
化学薬剤６は内部シリンダ４内に装入され、点火装置１１は化学薬剤６の中心に設置される。点火装置１１は、化学薬剤６に点火し、それによって、主としてストロンチウム塩酸化剤で製造される火災鎮火剤などの、エアロゾルを生成することができる。
さらに、冷却材料で製造された冷却層１０が、内部シリンダ４内の化学薬剤６の上に設置され、スクリーン９が、冷却層１０を覆い、冷却材料または冷却構造（例えば、セル状セラミック構造）が、冷却層内に配設される。上記のステップにおいて発生したエアロゾルは、冷却層１０を通過して、冷却層１０によって冷却され、次いで、装置の頂面の周囲から噴出し、火災鎮火効果を与える。
【００１３】
さらに、円筒状外部シリンダ５は、内部シリンダの回りに配設されて保護の役割をする。さらに、熱絶縁層３は、内部シリンダ４と外部シリンダ５の間に配設され、熱絶縁材料は、ケイ酸アルミニウム繊維などの任意適当な材料で製造して、断熱の目的を達することができる。
さらに、センシング要素８（例えば、温度センサ）が、外部シリンダ８の頂部に設置される。火災の場合には、温度センサが火災を検知して、点火装置１１を起動させて、化学薬剤６に点火し、これによってエアロゾルが噴出して、火災を迅速に消火する。
【００１４】
さらに、磁性鉄１３およびバッテリ１２が、外部シリンダ５の底部に配設されている。バッテリ１２は、点火装置１１に電力を供給して、必要な場合にはこの鎮火装置を起動する。この鎮火装置は、磁性鉄１３によって底部キャップ７に取り付けられている。
さらに、装置内の検出回路ボード２は、バッテリ不足による起動ミスを回避するために、バッテリ交換の指示を出すように、バッテリ容量を何時でも検出するように設計されている。
勿論のこと、装置内のセンシング要素８は、温度センサ、煙検出器、火炎検出器またはガス検出器などの、別のタイプのものとすることが可能であり、さらに、温度センサは、温度センシングケーブル、熱抵抗器、熱スイッチ、その他とすることができる。
【００１５】
図２は、本発明における小型自動エアロゾル火災鎮火装置の別の実施例の概略構造図である。図２に示すように、この装置は、非電気起動手法を用いる。この装置は、頂部キャップ１、センシング要素８、保持リング１４、スクリーン９、外部シリンダ５、冷却層１０、内部シリンダ４、化学薬剤６、熱絶縁層３、アスベスト板１５、磁性鉄１３、底部キャップ１７、および点火装置１１を含み、磁性鉄１３は、装置の下に配設され、底部キャップに取り付けられている。
この装置において、化学薬剤６内のエアロゾル火災鎮火剤は、主としてカルシウム塩酸化剤で製造されており、熱絶縁層３はアスベスト材料で製造されており、冷却層１０は、化学冷却剤（炭酸マグネシウム）で製造されている。
【００１６】
装置の非電気起動は、感熱材料、自然発火性材料または火炎伝達材料を化学薬剤に接続することによって達成することができる。さらに、感熱材料、自然発火性材料または火炎伝達材料は、直線形状、平板状形状、塊状形状または粉末などの任意の形状とすることができる。さらに、小型自動エアロゾル火災鎮火装置は、ねじで固定するか、磁性鉄１３によって鉄鋼構造の表面に取り付けるか、または接着することによって設置することができるが、この実施例における固定方法に限定はされない。
【００１７】
火災の場合には、小型自動エアロゾル火災鎮火装置内のセンシング要素８は、火災を検知して点火装置１１を起動して化学薬剤６内の薬剤に点火し、その結果、エアロゾルが噴出して迅速に火災を消火する。次いで、装置内のフィードバック要素(ブザー)が警報音を生成する。
このエアロゾル火災鎮火装置の長所としては、壁の温度とジェットオリフィスの温度の両方が低い（ジェットオリフィスにおける温度は１５０℃未満であり、密閉容器の温度は１００℃未満である）ことが挙げられる。加えて、この装置は非常に敏感である。さらに、ストロンチウム塩酸化剤が火災鎮火剤として使用され、それによって、エアロゾルが燃焼するときに、発生した生成物による設備への潜在的な損傷を回避することができる。
【００１８】
さらに、装置全体の体積は０．０５ｍ３以下であるので、本装置は、変圧器、配電盤、車両上のエンジンルームおよび貨物室、その他などの、電力使用、配電および変圧が必要とされる狭小スペースに応用可能であるとともに、航空機、車両、および船舶、その他などの、ガソリン、ディーゼル油、または航空用灯油が推進用に使用される場所にも応用可能である。このような環境において、小規模での迅速な局所的火災鎮火を行うと、半分の努力で２倍の結果を得ることができる。
【００１９】
本発明についての上記の教示に基づいて、当業者は、本発明の趣旨から逸脱することなく実施態様に対して、容易に修正または変更を行うことができるであろう。しかしながら、これらの修正または変更のすべては、本発明の保護範囲に含めることを意図するものである。当業者は、上記の説明は、本発明に対するいかなる限定を構成するものではなく、本発明の目的を詳述し説明するためにのみ提示されるものであることを認識すべきである。本発明の保護範囲は、請求の範囲およびその均等物によってのみ限定されるものとする。
【図１】
0003191569.tif 000003
【図２】
0003191569.tif 000004
【手続補正書】
【提出日】平成26年5月1日(2014.5.1)
【手続補正１】
【補正対象書類名】実用新案登録請求の範囲
【補正対象項目名】全文
【補正方法】変更
【補正の内容】
【実用新案登録請求の範囲】
【請求項１】
頂部キャップ（１）、熱絶縁層（３）、内部シリンダ（４）、外部シリンダ（５）、底部キャップ（７）、センシング要素（８）、スクリーン（９）および点火装置（１１）を含み、
化学薬剤（６）および冷却層（１０）が、前記内部シリンダ（４）内に設置され、前記冷却層（１０）の上部に前記センシング要素および前記スクリーン（９）が配置され、前記熱絶縁層（３）が、前記内部シリンダ（４）と前記外部シリンダ（５）の間に設置され、前記センシング要素（８）が、火災を検知するように設計されている、小型自動エアロゾル火災鎮火装置。
【請求項２】
エアロゾル火災鎮火装置の起動が、センシング要素（８）とバッテリ（１２）によって達成される、電気起動であることを特徴とする、請求項１に記載の小型自動エアロゾル火災鎮火装置。
【請求項３】
センシング要素が、温度センサ、煙検出器、火炎検出器またはガス検出器であることを特徴とする請求項１に記載の小型自動エアロゾル火災鎮火装置。
【請求項４】
エアロゾル火災鎮火装置の起動が、感熱材料、自然発火性材料または火炎伝達材料を化学薬剤に接続することによって達成される、非電気起動であることを特徴とする請求項１に記載の小型自動エアロゾル火災鎮火装置。
【請求項５】
小型自動エアロゾル火災鎮火装置は、ねじで固定するか、磁性鉄によって鉄鋼構造の表面に取り付けるか、または接着することによって設置することができることを特徴とする請求項１に記載の小型自動エアロゾル火災鎮火装置。
【請求項６】
バッテリ容量を検出するように設計された、検出回路ボード（２）を前記頂部キャップ（１）の下部に配置したことを特徴とする、請求項１に記載の小型自動エアロゾル火災鎮火装置。
【請求項７】
誤起動を防止するように設計された安全スイッチが、検出回路ボード（２）上に配設されていることを特徴とする、請求項１に記載の小型自動エアロゾル火災鎮火装置。
【請求項８】
装置がエアロゾルを噴出するか否かを検出するように設計された、フィードバック要素をさらに含み、該フィードバック要素がインジケータまたはブザーであることを特徴とする、請求項１に記載の小型自動エアロゾル火災鎮火装置。
【請求項９】
熱絶縁層（３）が、ケイ酸アルミニウム繊維またはアスベスト材料によって製造されていることを特徴とする、請求項１に記載の小型自動エアロゾル火災鎮火装置。
【請求項１０】
エアロゾル火災鎮火装置の体積が、０．０５ｍ３以下であることを特徴とする、請求項１に記載の小型自動エアロゾル火災鎮火装置。
【手続補正３】
【補正対象書類名】明細書
【補正対象項目名】０００２
【補正方法】変更
【補正の内容】
【０００２】
今日、エアロゾル火災鎮火装置は、優れた火災鎮火性能、安全性、信頼性、安定性、環境親和性を有し、かつ操作が容易であるなどの長所から、広く応用されている。エアロゾル火災鎮火装置は、金属およびエネルギー部門などの業界および企業を巻き込んで、全国の３０を超える省における数千のプロジェクトにおいて、成功裏に応用されている。